(57)【要約】  【課題】装置の小型化を図ることができると共にコストダウンを図ることが可能な転写装置を提供する。  【解決手段】転写材を介して移動可能な像担持体２６に接離可能であり像担持体２６上の画像を転写材に転写する転写部材２と、転写部材２を像担持体２６より大きく離間させる解除手段４と、転写部材２を像担持体２６より小さく離間させる接離手段４とを有する転写装置において、解除手段４は転写部材２を移動させる回動可能な解除カム９を、接離手段４は転写部材２を移動させる回動可能な接離カム１２をそれぞれ有し、解除カム９と接離カム１２とを同じ軸芯上に設けた。【選択図】図３
2014132315.tif 000002
【特許請求の範囲】
【請求項１】
転写材を介して移動可能な像担持体に接離可能であり前記像担持体上の画像を前記転写材に転写する転写部材と、前記転写部材を前記像担持体より大きく離間させる解除手段と、前記転写部材を前記像担持体より小さく離間させる接離手段とを有する転写装置において、
前記解除手段は前記転写部材を移動させる回動可能な解除カムを、前記接離手段は前記転写部材を移動させる回動可能な接離カムをそれぞれ有し、前記解除カムと前記接離カムとが同じ軸芯上に設けられていることを特徴とする転写装置。
【請求項２】
請求項１記載の転写装置において、
前記接離カムを回動させる接離カム駆動手段を有することを特徴とする転写装置。
【請求項３】
請求項１または２記載の転写装置において、
前記接離手段は装置待機時に前記転写部材を前記像担持体より離間させることを特徴とする転写装置。
【請求項４】
請求項１から３までの何れか１つに記載の転写装置において、
前記解除カムと前記接離カムとは互いに異なる軸上に設けられ、一方を回動させても他方は回動しない構成であることを特徴とする転写装置。
【請求項５】
画像形成を行う画像形成部と請求項１から４までの何れか１つに記載の転写装置とを有することを特徴とする画像形成装置。
【発明の詳細な説明】
【技術分野】
【０００１】
本発明は複写機やプリンタ等の画像形成装置に関し、詳しくは転写材に画像を転写する転写装置の構成に関する。
【背景技術】
【０００２】
従来、複写機やプリンタ、ファクシミリやプロッタ等の画像形成装置において、像担持体である感光体上に形成されたトナー像を転写紙や転写シート等の転写材に転写する転写装置が知られている。この転写装置として、感光体に対して転写ベルトユニットを接離させるベルトユニット接離機構により感光体に対して転写ベルトを接離可能であると共に、ジャム紙を容易に取り除くために転写ユニット全体を感光体に対して大きく離隔することが可能である技術が、例えば「特許文献１」に開示されている。
【０００３】
上述の転写装置では、感光体に対して転写ベルトユニットを２段階で接離させる機構を有しているので、感光体を交換する際やジャム紙の処理時において感光体に対して転写ベルトユニットを大きく離隔させることができ、誤って感光体を傷付けてしまうという不具合の発生を防止することができる。また、画像形成動作時において感光体に対して転写ベルトのみをできるだけ小さく接離させることにより、画像形成動作の高速化を図ることができる。
【発明の概要】
【発明が解決しようとする課題】
【０００４】
しかし「特許文献１」に開示された構成では、機構が複雑で装置の小型化が難しいと共に、部品点数が多くコストダウンを図ることが難しいという問題点がある。本発明は上述の問題点を解決し、装置の小型化を図ることができると共にコストダウンを図ることが可能な転写装置の提供を目的とする。
【課題を解決するための手段】
【０００５】
請求項１記載の発明は、転写材を介して移動可能な像担持体に接離可能であり前記像担持体上の画像を前記転写材に転写する転写部材と、前記転写部材を前記像担持体より大きく離間させる解除手段と、前記転写部材を前記像担持体より小さく離間させる接離手段とを有する転写装置において、前記解除手段は前記転写部材を移動させる回動可能な解除カムを、前記接離手段は前記転写部材を移動させる回動可能な接離カムをそれぞれ有し、前記解除カムと前記接離カムとが同じ軸芯上に設けられていることを特徴とする。
【発明の効果】
【０００６】
本発明によれば、接離機構によって転写部材を像担持体より大きく離間させる解除手段と転写部材を像担持体より小さく離間させる接離手段とを兼用することができる。これにより、解除手段と接離手段の各機構部を同じ軸芯上に配置でき、省スペース化を図ることができると共に部品点数の低減及び設計工数の低減を実現でき、コストダウンを図ることができる。
【図面の簡単な説明】
【０００７】
【図１】本発明の一実施形態を適用可能なプリンタの要部概略図である。
【図２】本発明の一実施形態に用いられる接離機構を示す概略図である。
【図３】本発明の一実施形態に用いられる引き出しレバー軸及び接離カムを説明する概略図である。
【発明を実施するための形態】
【０００８】
図１は、本発明の一実施形態を適用可能な画像形成装置を示している。同図において画像形成装置であるプリンタ１９は、その表面に静電潜像が形成される感光体ドラム２０を有している。感光体ドラム２０の周囲には、感光体ドラム２０に書込を行う露光装置２１、形成された静電潜像をトナー像に顕像化する現像装置２２等の周知の構成が配設されている。また、表面をクリーニングするクリーニング装置２３、表面を一様に帯電させる帯電装置２４、トナー像を後述する中間転写ベルト２６に転写させる１次転写ローラ２５等の周知の構成が配設されている。上述の構成により画像形成部２７が構成されている。
【０００９】
画像形成部２７の下方には、像担持体である中間転写ベルト２６が配設されている。中間転写ベルト２６は、駆動ローラ２８、支持ローラ２９，３０，３１，３２，３３、テンションローラ３４、斥力ローラ１によって走行可能に張架されている。中間転写ベルト２６は、図示しない駆動手段によって駆動ローラ２８が回転駆動されることにより、図１において矢印方向に走行駆動される。
【００１０】
中間転写ベルト２６を介して転写バイアスが印加される斥力ローラ１と対向する位置には、転写部材である２次転写ローラ２が配設されている。２次転写ローラ２は２次転写ユニット３によって回転自在に支持されており、２次転写ユニット３は支点軸５によって回動自在かつ引き出し自在に支持されている。２次転写ユニット３は支点軸５にセットされることにより幅方向及び高さ方向及び奥行き方向への位置決めが行われ、これによって異常画像や用紙ジャムの発生が防止される。斥力ローラ１と２次転写ローラ２とによって２次転写ニップ部が形成される。
【００１１】
２次転写ユニット３は、２次転写圧力が解除された状態時においてプリンタ１９の装置本体にセットされる。そして、後述する引き出しレバー１０を操作することにより解除カム９が回動し、２次転写圧力が斥力ローラ１方向に加わる構成である。ここで２次転写圧力は高圧力であるため、装置待機時に斥力ローラ１と２次転写ローラ２とが当接していると、両ローラ軸が変形してしまう及び２次転写ローラ２のコート層にクラックが入るという問題点がある。この場合には異常画像が発生するため、装置待機時には斥力ローラ１と２次転写ローラ２とを離間させる必要がある。以下に、上述した問題点を解決すると共に、コストダウンを図ることが可能な本発明の構成を説明する。
【００１２】
図１において、符号４は解除手段と接離手段とを兼ねた接離機構を示しており、図２に示すように解除手段は引き出しレバー軸７上に２個の解除カム９を有している。２次転写ユニット３は接離機構４を構成する加圧レバー８上に載置されており、加圧ばね１１によって加圧レバー８に圧接されている。２次転写ユニット３は、各解除カム９が加圧レバー８から離間している図１に示す状態において、２次転写ローラ２が斥力ローラ１に対して所定の圧力で圧接している。そして、引き出しレバー１０を回動させることにより各解除カム９の当接によって接離支点６を中心として加圧レバー８が押し下げられる。これにより、２次転写ローラ２を中間転写ベルト２６より大きく離間させて２次転写ニップ部の解除を行うことができる。
【００１３】
また接離機構４は、接離手段として図３に示すように引き出しレバー軸７上にパイプ軸１８を有している。パイプ軸１８は２個の軸受１７を介して引き出しレバー軸７に取り付けられており、引き出しレバー軸７とパイプ軸１８とはそれぞれ独立して回転自在に構成され、パイプ軸１８上には２個の接離カム１２がそれぞれ固定されている。図３において右側である装置リヤ側には、接離カム１２を回動させる接離カム駆動手段としてのステッピングモータ１４が配設されている。ステッピングモータ１４の駆動力はパイプ軸１８上に固定されたギヤ１３を介して接離カム１２に伝達され、接離カム１２が回動する。ステッピングモータ１４は、装置待機時において引き出しレバー軸７に取り付けられたフィラ１５をフォトセンサ１６によって検知して自動で駆動する。これにより、接離カム１２を回動させて２次転写ローラ２を中間転写ベルト２６より小さく離間させて２次転写ニップ部の離間を行うことができる。
【００１４】
上述の構成により、接離機構４によって２次転写ローラ２を中間転写ベルト２６より大きく離間させる解除手段と２次転写ローラ２を中間転写ベルト２６より小さく離間させる接離手段とを兼用することができる。これにより、解除手段と接離手段の各機構部を引き出しレバー軸７上に配置でき、省スペース化を図ることができると共に部品点数の低減及び設計工数の低減を実現でき、コストダウンを図ることができる。
【００１５】
次に、本発明の構成を具体的に説明する。引き出しレバー軸７を手動にて回動させることにより、引き出しレバー軸７上に配設された各解除カム９を回動させて接離支点６を中心として加圧レバー８を図１において下方に押し下げることができる。これにより２次転写ローラ２が中間転写ベルト２６より大きく離間する。このときの加圧レバー８の押し下げによる解除量は、２次転写ユニット３を装置本体から引き出した際に２次転写ユニット３が図示しない中間転写フレームに干渉しない解除量に設定されている。一例として、解除量は８ｍｍであり支点軸５を中心とした２次転写ユニット３の解除角度が１０°であるとすると、接離支点６を中心とした解除角度は６．５°となる。各解除カム９の形状は、引き出しレバー１０の回動角度が９０°となることから、引き出しレバー１０の回動角度９０°以内で接離支点６を中心とした２次転写ユニット３の解除角度６．５°を達成可能である形状に設定されている。
【００１６】
また、パイプ軸１８を回動させることによりパイプ軸１８上に配設された各接離カム１２を回動させて接離支点６を中心として加圧レバー８を図１において下方に押し下げることができる。これにより２次転写ローラ２が中間転写ベルト２６より小さく離間する。このときの加圧レバー８の押し下げによる離間量は、２次転写ニップ部を１ｍｍ離間させる。一例として、１ｍｍ離間させるために必要な離間角度は支点軸５を中心とした２次転写ユニット３の解除角度が２．４°であるとすると、接離支点６を中心とした離間角度は１．７°となる。
【００１７】
ここで、ステッピングモータ１４を用いた２次転写ローラ２の接離動作について説明する。先ず接触動作を説明する。制御の停止を検知してステッピングモータ１４をオンさせる。次に、２ｍｓｅｃタイマにて２次転写接離センサの信号を監視して２次転写ローラ２の接触を監視する。次に５００ｍｓｅｃでフィラ１５の有無を検知後に２次転写ローラ２を駆動するモータをオフさせる。次に、５５０ｍｓｅｃ後にステッピングモータ１４をオフさせる。
【００１８】
次に離間動作を説明する。先ず、制御の停止を検知してステッピングモータ１４をオンさせる。次に、２ｍｓｅｃタイマにて２次転写接離センサの信号を監視して２次転写ローラ２の離間を監視する。次に５００ｍｓｅｃでフィラ１５の有無を検知後に２次転写ローラ２を駆動するモータをオフさせる。次に、５５０ｍｓｅｃ後にステッピングモータ１４をオフさせる。
【００１９】
上述したプリンタ１９では、感光体ドラム２０上にトナー像を形成し、このトナー像を用紙やＯＨＰシート、あるいはトレーシングペーパ等の転写材に静電転写する。そして、転写されたトナー像が転写材に定着されることにより出力画像として得られるように構成されている。この構成では、画像形成部２７を設け、これに沿って走行移動する中間転写ベルト２６に画像を１次転写し、中間転写ベルト２６から転写材に対して画像を２次転写して画像を得る構成である。中間転写ベルト２６にはトナー像転写域が設定され、転写域において転写バイアス印加部材である斥力ローラ１が配設されており、両者によって２次転写ニップ部が形成されている。２二次転写ニップ部において転写材に画像が転写され、２次転写ニップ部の転写材搬送方向下流側に配設された搬送手段によって未定着画像が転写された転写材が定着装置に搬送されて転写材に画像が定着される。また、２次転写ニップ部は転写材の搬送路上に設けられ、搬送路の転写材搬送方向上流側には周知のレジストローラ対や給紙装置から転写材を送り出す搬送ローラ等が配設されている。
【００２０】
上述した実施形態では、感光体ドラム２０上の画像を中間転写ベルト２６に中間転写するプリンタ１９を示したが、感光体上の画像を転写材に直接転写する方式の画像形成装置にも本発明は適用可能である。この場合には感光体が像担持体となる。また、上記実施形態では画像形成装置としてプリンタ１９を示したが、本発明が適用可能な画像形成装置はこれに限定されず、複写機、プロッタ、ファクシミリ、これらの複合機等の他の画像形成装置にも本発明は適用可能である。
【符号の説明】
【００２１】
２  転写部材（２次転写ローラ）
４  解除手段、接離手段（接離機構）
７  軸（引き出しレバー軸）
９  解除カム
１２  接離カム
１４  接離カム駆動手段（ステッピングモータ）
１８  軸（パイプ軸）
１９  画像形成装置（プリンタ）
２６  像担持体（中間転写ベルト）
【先行技術文献】
【特許文献】
【００２２】
【特許文献１】特開平８−３０１７６号公報
【図１】
2014132315.tif 000003
【図２】
2014132315.tif 000004
【図３】
2014132315.tif 000005